(57)【要約】【課題】自動的に時刻のずれを最小限に抑えて計測データの信頼性を向上させることができる電力監視システムを提供する。【解決手段】通信コントローラから電力量端末器に要求電文が送信された際に電力量端末器の内部時計の時刻が通信コントローラの内部時計の時刻より遅れている場合は要求電文の送信時刻に合わせ、電力量端末器の内部時計の時刻が通信コントローラの内部時計の時刻より１分以上進んでいる場合は要求電文の送信時刻の分の位を同じに合わせ、電力量端末器の内部時計の時刻が通信コントローラの内部時計の時刻より１分未満進んでいる場合は修正はしない。【選択図】　　　　図２
2004085411.tif 000002
【特許請求の範囲】
【請求項１】
受電設備等の消費電力量を計測して積算する複数の電力量端末器と、該電力量端末器の通信を制御し計測データを収集する通信コントローラと、該通信コントローラの計測データを管理するパソコンとで構成される電力監視システムにおいて、前記通信コントローラから前記電力量端末器に計測データを収集するための要求電文が送信された際に前記通信コントローラの内部時計の時刻と前記電力量端末器の内部時計の時刻のずれに応じて前記電力量端末器が内部時計の時刻を修正することを特徴とする電力監視システム。
【請求項２】
前記電力量端末器の内部時計の時刻が前記通信コントローラの内部時計の時刻より遅れている場合は要求電文の送信時刻に合わせ、一定時間以上進んでいる場合は要求電文の送信時刻の分のみを合わせ、一定時間未満進んでいる場合は修正を行わないことを特徴とする請求項１に記載の電力監視システム。
【請求項３】
受電設備等の消費電力量を計測して積算する複数の電力量端末器と、該電力量端末器の通信を制御し計測データを収集する通信コントローラと、該通信コントローラの計測データを管理するパソコンとで構成される電力監視システムにおいて、前記通信コントローラからの制御により前記電力量端末器と前記パソコンの内部時計の時刻を一定期間毎に前記通信コントローラの内部時計の時刻に修正することを特徴とする電力監視システム。
【発明の詳細な説明】
【０００１】
【発明の属する技術分野】
本発明は、電力量端末器によって計測した受電設備の消費電力量を通信コントローラによって収集し、パソコンで管理する電力監視システムに関する。
【０００２】
【従来の技術】
従来、電力監視システム２１は受電設備等の消費電力量を計測して積算する複数の電力量端末器２２と、電力量端末器２２の通信を制御し計測データを収集する通信コントローラ２３と、通信コントローラ２３の計測データを管理するパソコン２４とで構成されている。通信コントローラ２３は３０分毎に要求電文を電力量端末器２２に送信し、これを受けた電力量端末器２２は計測データを通信コントローラ２３に送信することにより計測データを収集していた。そして、全電力量端末器２２から計測データの収集が完了するとパソコン２４へ計測データを転送していた。
【０００３】
【発明が解決しようとする課題】
通信コントローラとパソコンの内部時計の時刻は使用者が確認できるので修正できるが、電力量端末器は内部時計の時刻を確認できないので通信コントローラとの時刻のずれが生じることがあった。そのため、各電力量端末器から収集した計測データの信頼性が低くなるという問題があった。電力量端末器の内部時計の時刻のずれを修正するためには定期的に手動で合わせなければならず面倒であった。
【０００４】
そこで上記問題点に鑑み、本発明の目的は、自動的に時刻のずれを最小限に抑えて計測データの信頼性を向上させることができる電力監視システムを提供することである。
【０００５】
【課題を解決するための手段】
上記目的を達成するために、請求項１に記載の発明によれば受電設備等の消費電力量を計測して積算する複数の電力量端末器と、電力量端末器の通信を制御し計測データを収集する通信コントローラと、通信コントローラの計測データを管理するパソコンとで構成される電力監視システムにおいて、通信コントローラから電力量端末器に計測データを収集するための要求電文が送信された際に通信コントローラの内部時計の時刻と電力量端末器の内部時計の時刻のずれに応じて電力量端末器が内部時計の時刻を修正することを特徴とする。
【０００６】
請求項２に記載の発明によれば、請求項１に記載の電力監視システムにおいて、電力量端末器の内部時計の時刻が通信コントローラの内部時計の時刻より遅れている場合は要求電文の送信時刻に合わせ、一定時間以上進んでいる場合は要求電文の送信時刻の分のみを合わせ、一定時間未満進んでいる場合は修正を行わないことを特徴とする。
【０００７】
請求項３に記載の発明によれば、受電設備等の消費電力量を計測して積算する複数の電力量端末器と、電力量端末器の通信を制御し計測データを収集する通信コントローラと、通信コントローラの計測データを管理するパソコンとで構成される電力監視システムにおいて、通信コントローラからの制御により電力量端末器とパソコンの内部時計の時刻を一定期間毎に通信コントローラの内部時計の時刻に修正することを特徴とする。
【０００８】
【発明の実施の形態】
請求項１に記載の発明によれば、受電設備等の消費電力量を計測して積算する複数の電力量端末器と、電力量端末器の通信を制御し計測データを収集する通信コントローラと、通信コントローラの計測データを管理するパソコンとで構成される電力監視システムにおいて、通信コントローラから電力量端末器に計測データを収集するための要求電文が送信された際に通信コントローラの内部時計の時刻と電力量端末器の内部時計の時刻のずれに応じて電力量端末器が内部時計の時刻を修正することにより、自動的に電力量端末器と通信コントローラの内部時計の時刻のずれを修正することができる。
【０００９】
請求項２に記載の発明によれば、請求項１に記載の電力監視システムにおいて、電力量端末器の内部時計の時刻が通信コントローラの内部時計の時刻より遅れている場合は要求電文の送信時刻に合わせ、一定時間以上進んでいる場合は要求電文の送信時刻の分のみを合わせ、一定時間未満進んでいる場合は修正を行わないことにより、電力量端末器と通信コントローラの内部時計の時刻のずれを最小限に抑えることができる。
【００１０】
請求項３に記載の発明によれば、受電設備等の消費電力量を計測して積算する複数の電力量端末器と、電力量端末器の通信を制御し計測データを収集する通信コントローラと、通信コントローラの計測データを管理するパソコンとで構成される電力監視システムにおいて、通信コントローラからの制御により電力量端末器とパソコンの内部時計の時刻を一定期間毎に通信コントローラの内部時計の時刻に修正することにより、自動的に電力量端末器と通信コントローラとパソコンの内部時計の時刻のずれを修正することができる。
【００１１】
【実施例】
本発明に係る電力監視システムの第１実施例を図１及び図２の添付図面に基づいて説明する。
【００１２】
電力監視システム１は受電設備等の消費電力量を計測して積算する複数の電力量端末器２と、電力量端末器２の通信を制御し計測データを収集する通信コントローラ３と、通信コントローラ３の計測データを管理するパソコン４とで構成されている。
【００１３】
通信コントローラ３は電力量端末器２の計測データを収集するために一定時間毎、例えば３０分毎に電力量端末器２に要求電文を送信している（ステップＳ１）。要求電文を受信した電力量端末器２は内部時計の時刻が通信コントローラ３の内部時計の時刻より遅れているかどうか比較する（ステップＳ２）。
【００１４】
電力量端末器２の内部時計の時刻が遅れている場合は通信コントローラ３が要求電文を送信した時刻に合わせる。例えば通信コントローラ３が１０時３０分００秒に要求電文を電力量端末器２に送信し、電力量端末器２の内部時計の時刻が１０時２９分４０秒の場合は、電力量端末器２の内部時計の時刻を１０時３０分００秒に合わせる（ステップＳ３）。
【００１５】
また、電力量端末器２の内部時計の時刻が進んでいる場合は更に一定時間以上進んでいるかどうか比較する（ステップＳ４）。この一定時間は任意に設定すれば良く、ここでは１分に設定している。
【００１６】
そして、電力量端末器２の内部時計の時刻が１分以上進んでいる場合は通信コントローラ３が要求電文を送信した時刻の分の位だけを合わせる。例えば通信コントローラ３が１０時３０分００秒に要求電文を電力量端末器２に送信し、電力量端末器２の内部時計の時刻が１０時３１分１５秒の場合は、電力量端末器２の内部時計の時刻を１０時３０分１５秒に合わせる（ステップＳ５）。
【００１７】
また、電力量端末器２の内部時計の時刻が１分未満進んでいる場合は修正は行わない。これらの時刻の修正は通信コントローラ３の要求電文が各電力量端末器２に到達する時間が異なるためにこのような制御になっている。
【００１８】
こうして、内部時計の時刻の修正が終了した後は、電力量端末器２は計測データを通信コントローラ３に送信し（ステップＳ６）、通信コントローラ３は全電力量端末器２から計測データの収集が完了するとパソコン４へ計測データを送信する（ステップＳ７）。
【００１９】
本発明に係る電力監視システムの第２実施例を図３の添付図面に基づいて説明する。尚、第１実施例と同一部分には同一符号を付して説明を省略する。
【００２０】
通信コントローラ３は一定期間、例えば１０日経過したかどうかを計時し（ステップＳ１１）、１０日経過した場合は通信コントローラの制御によりパソコンの内部時計の時刻を通信コントローラの内部時計の時刻に合わせる（ステップＳ１２）。
【００２１】
次に、通信コントローラの制御により電力量端末器の内部時計の時刻も通信コントローラの内部時計の時刻に合わせ（ステップＳ１３）、全ての電力量端末器の内部時計の時刻が設定されるまで行う（ステップＳ１４）。
【００２２】
尚、第１実施例と組み合わせて使用することにより効果的に時刻の修正を行うことができる。
【００２３】
【発明の効果】
以上説明したように請求項１に記載の発明によれば、受電設備等の消費電力量を計測して積算する複数の電力量端末器と、電力量端末器の通信を制御し計測データを収集する通信コントローラと、通信コントローラの計測データを管理するパソコンとで構成される電力監視システムにおいて、通信コントローラから電力量端末器に計測データを収集するための要求電文が送信された際に通信コントローラの内部時計の時刻と電力量端末器の内部時計の時刻のずれに応じて電力量端末器が内部時計の時刻を修正することにより、自動的に電力量端末器と通信コントローラの内部時計の時刻のずれを修正することができるという効果がある。
【００２４】
請求項２に記載の発明によれば、請求項１に記載の電力監視システムにおいて、電力量端末器の内部時計の時刻が通信コントローラの内部時計の時刻より遅れている場合は要求電文の送信時刻に修正し、一定時間以上進んでいる場合は要求電文の送信時刻の分のみを合わせて修正し、一定時間未満進んでいる場合は修正を行わないことにより、電力量端末器と通信コントローラの内部時計の時刻のずれを最小限に抑えることができるという効果がある。
【００２５】
請求項３に記載の発明によれば、受電設備等の消費電力量を計測して積算する複数の電力量端末器と、電力量端末器の通信を制御し計測データを収集する通信コントローラと、通信コントローラの計測データを管理するパソコンとで構成される電力監視システムにおいて、通信コントローラからの制御により電力量端末器とパソコンの内部時計の時刻を一定期間毎に通信コントローラの内部時計の時刻に修正することにより、自動的に電力量端末器と通信コントローラとパソコンの内部時計の時刻のずれを修正することができるという効果がある。
【図面の簡単な説明】
【図１】本発明の第１実施例に係る電力監視システムを示すブロック図である。
【図２】本発明の第１実施例に係る電力監視システムの動作を示すフローチャートである。
【図３】本発明の第２実施例に係る電力監視システムの動作を示すフローチャートである。
【図４】従来の電力監視システムを示すブロック図である。
【符号の説明】
１…電力監視システム
２…電力量端末器
３…通信コントローラ
４…パソコン
【図１】
2004085411.tif 000003
【図２】
2004085411.tif 000004
【図３】
2004085411.tif 000005
【図４】
2004085411.tif 000006